【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】無限遠設計された４群構成の顕微鏡対物レンズであって、下記の条件（１）、（２）、（３）を満足することを特徴とする。
（１）    ＮＡ／β≧０．０５５
（２）    ＷＤ／ＦＬ≧０．１８
（３）    １．６≧ＦＬ／Ｌ≧１．２
ＦＬ≧８０  ｍｍ、９０＞Ｌ≧５０  ｍｍ
ただし、ＮＡは対物レンズの開口数、βは対物レンズの倍率、ＷＤは対物レンズの作動距離、ＦＬは対物レンズの焦点距離、Ｌは対物レンズ取付面から観察面までの距離である。
【請求項２】物体側より順に、正のパワーを有する第１群と、物体側に凸面を向けたメニスカス形状の第２群と、負のパワーを有する第３群と、物体側に凹面を向けたメニスカスレンズと正の単レンズとからなり全体として正のパワーを有する第４群とからなることを特徴とする請求項１の顕微鏡対物レンズ。
【請求項３】物体側より順に、正のパワーを有する第１群と、物体側に凸面を向けたメニスカス形状の第２群と、負のパワーを有する第３群と、物体側に凹面を向けた凹レンズと複数の凸レンズとを含む第４群とからなり、第３群の凹レンズの屈折率が１．５４以下で、アッベ数が６２以上であり、第４群の前記凹レンズとそれに隣接する凸レンズが極めて小さい空気間隔を保って配置されていることを特徴とする請求項１の対物レンズ。
【請求項４】物体側より順に正のパワーを有する第１群と、物体側に強い凸面を向けた凸レンズと像側に強い凹面を向けた凹レンズとを接合したメニスカス状の第２群と、物体側に強い凹面を向けた凹レンズの第３群と、物体側に凹面を向けたメニスカスレンズと像側に強い凸面を向けた凸レンズの第４群とからなることを特徴とする顕微鏡対物レンズ。
【請求項５】物体側より順に、凸のパワーを有する第１群と、物体側に凸面を向けたメニスカスの第２群と、凹のパワーを有する第３群と、物体側に凹面を向けた凹レンズと複数の凸レンズとを含む第４群とよりなり、第３群の凹レンズが屈折率が１．５４以下でアッベ数が６２以上である硝材よりなり、第４群の凹レンズとそれに隣接する凸レンズとが極めて小さい空気間隔を保って配置されていることを特徴とする顕微鏡対物レンズ。
【請求項６】請求項４又は請求項５の顕微鏡対物レンズであって、無限遠設計された４群構成を有し下記の条件（１）乃至（３）を満足させることを特徴とする。
（１）    ＮＡ／β≧０．０５５
（２）    ＷＤ／ＦＬ≧０．１８
（３）    １．６≧ＦＬ／Ｌ≧１．２
ＦＬ≧８０  ｍｍ、９０＞Ｌ≧５０  ｍｍ
ただし、ＮＡは対物レンズの開口数、βは対物レンズの倍率、ＷＤは対物レンズの作動距離、ＦＬは対物レンズの焦点距離、Ｌは対物レンズ取付面から観察面までの距離である。
【手続補正２】
【補正対象書類名】明細書
【補正対象項目名】００１６
【補正方法】変更
【補正の内容】
【００１６】
【課題を解決するための手段】
本発明の顕微鏡対物レンズは、前記課題を解決するためのもので、無限遠設計された４群構成の顕微鏡対物レンズであって、下記の条件（１）、（２）、（３）を満足することを特徴とする。
（１）    ＮＡ／β≧０．０５５
（２）    ＷＤ／ＦＬ≧０．１８
（３）    １．６≧ＦＬ／Ｌ≧１．２
ＦＬ≧８０  ｍｍ、９０＞Ｌ≧５０  ｍｍ
ただし、ＮＡは対物レンズの開口数、βは対物レンズの倍率、ＷＤは対物レンズの作動距離、ＦＬは対物レンズの焦点距離、Ｌは対物レンズ取付面から観察面までの距離である。
【手続補正３】
【補正対象書類名】明細書
【補正対象項目名】００４７
【補正方法】変更
【補正の内容】
【００４７】
本発明の顕微鏡対物レンズは、図１、２、３（夫々実施例１、２、３）に示す通りの構成で、下記データを有するレンズ系である。
実施例１
ｒ1 ＝22.1479           ｄ1 ＝3         ｎ1 ＝1.51633     ν1 ＝64.14 
ｒ2 ＝-44.7447          ｄ2 ＝0.15
ｒ3 ＝15.4066           ｄ3 ＝3.9284    ｎ2 ＝1.6779      ν2 ＝55.34 
ｒ4 ＝189.4157          ｄ4 ＝1.7855    ｎ3 ＝1.48749     ν3 ＝70.23 
ｒ5 ＝8.8993            ｄ5 ＝11.424
ｒ6 ＝-8.3259           ｄ6 ＝10.1197   ｎ4 ＝1.58144     ν4 ＝40.75 
ｒ7 ＝27.953            ｄ7 ＝8.7708
ｒ8 ＝-23.8816          ｄ8 ＝1.5753    ｎ5 ＝1.59551     ν5 ＝39.21 
ｒ9 ＝60.6039           ｄ9 ＝5.65      ｎ6 ＝1.497       ν6 ＝81.54 
ｒ10＝-18.6638          ｄ10＝0.15
ｒ11＝139.3946          ｄ11＝4.9081    ｎ7 ＝1.51633     ν7 ＝64.14 
ｒ12＝-23.2673
ＮＡ＝0.130 ，ＦＬ＝90，ＷＤ＝17.3  ，Ｌ＝65  ，ＮＡ／β＝0.065
ＷＤ／ＦＬ＝0.19，ＦＬ／Ｌ＝1.38
【手続補正４】
【補正対象書類名】明細書
【補正対象項目名】００４８
【補正方法】変更
【補正の内容】
【００４８】
実施例２
ｒ1 ＝29.1427           ｄ1 ＝2.958     ｎ1 ＝1.51633     ν1 ＝64.14 
ｒ2 ＝-32.6288          ｄ2 ＝0.1455
ｒ3 ＝16.9648           ｄ3 ＝4.9698    ｎ2 ＝1.6779      ν2 ＝55.34 
ｒ4 ＝190.5676          ｄ4 ＝2.1974    ｎ3 ＝1.48749     ν3 ＝70.23 
ｒ5 ＝9.0214            ｄ5 ＝10.7591 
ｒ6 ＝-9.2613           ｄ6 ＝8.427     ｎ4 ＝1.58144     ν4 ＝40.75 
ｒ7 ＝25.1325           ｄ7 ＝9.6138
ｒ8 ＝-27.7884          ｄ8 ＝2.0583    ｎ5 ＝1.59551     ν5 ＝39.21 
ｒ9 ＝76.5917           ｄ9 ＝5.3       ｎ6 ＝1.497       ν6 ＝81.54 
ｒ10＝-19.3202          ｄ10＝0.0924
ｒ11＝177.9183          ｄ11＝5.1595    ｎ7 ＝1.48749     ν7 ＝70.23 
ｒ12＝-22.6246
ＮＡ＝0.128 ，ＦＬ＝90，ＷＤ＝17.5  ，Ｌ＝65  ，ＮＡ／β＝0.064
ＷＤ／ＦＬ＝0.19，ＦＬ／Ｌ＝1.38
【手続補正５】
【補正対象書類名】明細書
【補正対象項目名】００４９
【補正方法】変更
【補正の内容】
【００４９】
実施例３
ｒ1 ＝13.6678           ｄ1 ＝3         ｎ1 ＝1.51633     ν1 ＝64.14 
ｒ2 ＝102.7331          ｄ2 ＝0.15
ｒ3 ＝13.5598           ｄ3 ＝4.3529    ｎ2 ＝1.726       ν2 ＝53.57 
ｒ4 ＝271.091           ｄ4 ＝1.4249    ｎ3 ＝1.53172     ν3 ＝48.91 
ｒ5 ＝6.2431            ｄ5 ＝9.6288
ｒ6 ＝-7.7346           ｄ6 ＝6.2093    ｎ4 ＝1.497       ν4 ＝81.54 
ｒ7 ＝-99.6834          ｄ7 ＝12.4448 
ｒ8 ＝-25.3269          ｄ8 ＝2.7985    ｎ5 ＝1.58144     ν5 ＝40.75 
ｒ9 ＝44.8662           ｄ9 ＝0.1667
ｒ10＝45.5313           ｄ10＝6.1       ｎ6 ＝1.497       ν6 ＝81.54 
ｒ11＝-19.0076          ｄ11＝0.15  
ｒ12＝157.862           ｄ12＝3.807     ｎ7 ＝1.48749     ν7 ＝70.23 
ｒ13＝-33.0043
ＮＡ＝0.128 ，ＦＬ＝89.9，ＷＤ＝18.2  ，Ｌ＝65  ，ＮＡ／β＝0.064
ＷＤ／ＦＬ＝0.20，ＦＬ／Ｌ＝1.38
ただしｒ1 ，ｒ2 ，・・・ はレンズ各面の曲率半径、ｄ1 ，ｄ2 ，・・・ は各レンズの肉厚および空気間隔、ｎ1 ，ｎ2 ，・・・ は各レンズの屈折率、ν1 ，ν2 ，・・・ は各レンズのアッベ数である。尚長さの単位はmmである。
【手続補正６】
【補正対象書類名】明細書
【補正対象項目名】００６４
【補正方法】変更
【補正の内容】
【００６４】
【発明の効果】
本発明の顕微鏡対物レンズは、従来の顕微鏡ではない明るさが得られ、比較的暗い蛍光像を低倍率で広視野にて観察することが可能である。
【手続補正７】
【補正対象書類名】明細書
【補正対象項目名】００６５
【補正方法】変更
【補正の内容】
【００６５】
また対物レンズの全長を抑えつつ十分な作動距離を確保し得るので、Ｌ＝４５ｍｍ程度の従来の対物レンズと併用して顕微鏡に取り付けることが可能である。
【手続補正８】
【補正対象書類名】明細書
【補正対象項目名】００６６
【補正方法】変更
【補正の内容】
【００６６】
また、本発明の対物レンズと従来のＬ＝４５ｍｍ程度のより高い倍率の対物レンズを併用することにより、両対物レンズを素早く切り替えて使用できる。
【手続補正９】
【補正対象書類名】図面
【補正対象項目名】図３
【補正方法】変更
【補正の内容】
【図３】
2001021812.tif 000001